(57)【特許請求の範囲】
【請求項１】
冷却水を取り込む取水ピットと、
前記取水ピットにおける流水方向の中途部に設けられる絞り部と、
所定間隔を空けて設けられる一対の捕捉面を有して前記取水ピットにおける前記絞り部より流水方向の上流側に配置される除塵装置と、
前記除塵装置を通過した貯留水を吸い込んで冷却系ラインに供給するポンプと、
前記除塵装置と前記ポンプとの間で冷却水を前記ポンプに向けて整流する整流ガイド部と、
を有し、
前記整流ガイド部は、前記絞り部から所定間隔を空けて配置され、前記絞り部の下流側の一端面に対向する仕切面が形成される、
ことを特徴とするプラントの取水設備。
【請求項２】
前記整流ガイド部は、前記絞り部から前記ポンプに向けて幅方向に広がる左右のガイド部材を有することを特徴とする請求項１に記載のプラントの取水設備。
【請求項３】
左右のガイド部材は、前記絞り部から前記ポンプに向けて幅方向に広がる左右のガイド面を有することを特徴とする請求項２に記載のプラントの取水設備。
【請求項４】
左右のガイド部材は、前記絞り部から前記ポンプに向けて幅方向に広がると共に流水方向に所定間隔で設けられる左右の複数のガイド壁を有することを特徴とする請求項２に記載のプラントの取水設備。
【請求項５】
前記整流ガイド部は、前記絞り部から前記ポンプに向けて幅方向の中央部に流水方向に沿って設けられる中央ガイド部材を有することを特徴とする請求項１に記載のプラントの取水設備。
【請求項６】
前記整流ガイド部は、前記絞り部と前記ポンプとの間に設けられる潜り堰を有することを特徴とする請求項１に記載のプラントの取水設備。
【請求項７】
前記整流ガイド部は、前記絞り部と前記ポンプとの間に設けられる仕切壁を有することを特徴とする請求項１に記載のプラントの取水設備。
【発明の詳細な説明】
【技術分野】
【０００１】
本発明は、原子力発電や火力発電などの各種プラントで使用する冷却水を取り込むためのプラントの取水設備に関するものである。
【背景技術】
【０００２】
原子力発電プラントや火力発電プラントでは、蒸気を用いて蒸気タービンを駆動することから、復水器により使用済みの蒸気を冷却して復水として戻している。そのため、このような発電プラントでは、海岸や河川の近傍に取水設備を設置し、海水や河川水を冷却水として使用している。例えば、循環水ポンプにより海水を取り込んでタービン建屋内の復水器へ供給し、タービンから排出された蒸気を冷却している。
【０００３】
このようなプラントの取水設備は、海岸や河川の取水口から復水器の近傍まで取水路が設けられ、この取水路から分岐して取水ピットが設けられている。そして、この取水ピットに上述した循環水ポンプや海水ポンプが配置されると共に、塵芥を除去する除塵装置が配置されている。
【０００４】
このような取水設備としては、例えば、下記特許文献１，２に記載されたものがあり、トラベリングスクリーンとしては、下記特許文献３に記載されたものがある。特許文献３に記載されたトラベリングスクリーンは、スプロケットホイールとガイドレールとにチェーンを掛け渡し、チェーンにスクリーン部材を取付けることでスクリーンを形成している。そして、スクリーンの一側に水路の供給口を接続し、スクリーンの他側を閉塞している。そのため、スプロケットホイールによりチェーンを走行することでスクリーンを上下方向に循環走行させると、スクリーンの内側に流入する水に含まれる塵芥を除去し、スクリーンの外側へ水を流出させることができる。
【先行技術文献】
【特許文献】
【０００５】
【特許文献１】特開２０１２−２１４９７８号公報
【特許文献２】実開平０５−０２６１７８号公報
【特許文献３】特開平１１−１３７９２３号公報
【発明の概要】
【発明が解決しようとする課題】
【０００６】
トラベリングスクリーンは、スクリーンを上下方向に循環走行させた状態で、このスクリーンの内側または外側に水を供給し、塵芥を除去した水を、スクリーンの外側または内側へ水を排出している。この場合、スクリーンから排出された水は、取水ピットの奥側に流れ、ポンプが取水する。ところが、スクリーンから排出された水が所定幅の取水ピットを流れるとき、水は幅方向に急激に広がることから、コアンダ効果により水流が左右の壁面のうちの一方側に沿って流れることとなり、取水ピット内で偏流が発生してしまう。すると、取水ピット内を流れる冷却水の流速（流量）が幅方向で異なる速度分布となり、ポンプの取水口で水中渦が発生したり、また、水面より空気を巻き込んだりするおそれがある。
【０００７】
本発明は、上述した課題を解決するものであり、取水ピットにおけるポンプ周辺での渦の発生を抑制して適正に冷却水を取水可能とするプラントの取水設備を提供することを目的とする。
【課題を解決するための手段】
【０００８】
上記の目的を達成するための本発明のプラントの取水設備は、冷却水を取り込む取水ピットと、前記取水ピットにおける流水方向の中途部に設けられる絞り部と、所定間隔を空けて設けられる一対の捕捉面を有して前記取水ピットにおける前記絞り部より流水方向の上流側に配置される除塵装置と、前記除塵装置を通過した貯留水を吸い込んで冷却系ラインに供給するポンプと、前記除塵装置と前記ポンプとの間で冷却水を前記ポンプに向けて整流する整流ガイド部と、を有することを特徴とするものである。
【０００９】
従って、取水ピットを流れる水は、除塵装置における一対の捕捉面を通過することで塵芥が除去され、この捕捉面を通過した水は、絞り部を通ってポンプに流れる。このとき、整流ガイド部がポンプに向けて流れる冷却水を整流することから、捕捉面から排出されて左右の壁面を流れる水の流量がほぼ均一化され、流れの偏りが抑制される。そのため、取水ピットにおけるポンプ周辺での渦の発生が抑制され、ポンプは、適正に冷却水を取水することができる。
【００１０】
本発明のプラントの取水設備では、前記整流ガイド部は、前記絞り部から前記ポンプに向けて幅方向に広がる左右のガイド部材を有することを特徴としている。
【００１１】
従って、整流ガイド部を絞り部からポンプに向けて幅方向に広がる左右のガイド部材とすることで、捕捉面を通過した水は、絞り部からポンプに流れるとき、左右のガイド部材により幅方向に徐々に広がるように流れることから、捕捉面から排出されて左右の壁面を流れる水の流量がほぼ均一化され、流れの偏りを抑制することができる。
【００１２】
本発明のプラントの取水設備では、左右のガイド部材は、前記絞り部から前記ポンプに向けて幅方向に広がる左右のガイド面を有することを特徴としている。
【００１３】
従って、左右のガイド部材を左右のガイド面とすることで、絞り部からポンプに流れる水流を適正に流すことができる。
【００１４】
本発明のプラントの取水設備では、左右のガイド部材は、前記絞り部から前記ポンプに向けて幅方向に広がると共に流水方向に所定間隔で設けられる左右の複数のガイド壁を有することを特徴としている。
【００１５】
従って、左右のガイド部材を左右の複数のガイド壁とすることで、構造を簡素化して低コスト化を図ることができる。
【００１６】
本発明のプラントの取水設備では、前記整流ガイド部は、前記絞り部から前記ポンプに向けて幅方向の中央部に流水方向に沿って設けられる中央ガイド部材を有することを特徴としている。
【００１７】
従って、整流ガイド部を絞り部からポンプに向けて幅方向の中央部に流水方向に沿って設けられる中央ガイド部材とすることで、捕捉面を通過した水は、絞り部からポンプに流れるとき、中央ガイド部材に沿って流れることから、捕捉面から排出されて左右の壁面を流れる水の流量がほぼ均一化され、流れの偏りを抑制することができる。
【００１８】
本発明のプラントの取水設備では、前記整流ガイド部は、前記絞り部と前記ポンプとの間に設けられる潜り堰を有することを特徴としている。
【００１９】
従って、整流ガイド部を絞り部とポンプとの間に設けられる潜り堰とすることで、捕捉面を通過した水は、絞り部からポンプに流れるとき、潜り壁に衝突して分散されることから、捕捉面から排出されて左右の壁面を流れる水の流量がほぼ均一化され、流れの偏りを抑制することができる。
【００２０】
本発明のプラントの取水設備では、前記整流ガイド部は、前記絞り部と前記ポンプとの間に設けられる仕切壁を有することを特徴としている。
【００２１】
従って、整流ガイド部を絞り部とポンプとの間に設けられる仕切壁とすることで、捕捉面を通過した水は、絞り部からポンプに流れるとき、仕切壁に衝突して分散されることから、捕捉面から排出されて左右の壁面を流れる水の流量がほぼ均一化され、流れの偏りを抑制することができる。
【発明の効果】
【００２２】
本発明のプラントの取水設備によれば、取水ピットと、取水ピットに設けられる絞り部と、一対の捕捉面を有して絞り部より上流側に配置される除塵装置と、ポンプと、除塵装置とポンプとの間で冷却水をポンプに向けて整流する整流ガイド部とを設けるので、取水ピットにおけるポンプ周辺での渦の発生が抑制され、ポンプは、適正に冷却水を取水することができる。
【図面の簡単な説明】
【００２３】
【図１】図１は、第１実施形態のプラントの取水設備を表す平面図である。
【図２】図２は、プラントの取水設備を表す縦断面図である。
【図３】図３は、図２のIII−III断面図である。
【図４】図４は、第２実施形態のプラントの取水設備を表す平面図である。
【図５】図５は、第３実施形態のプラントの取水設備を表す平面図である。
【図６】図６は、第４実施形態のプラントの取水設備を表す平面図である。
【図７】図７は、第５実施形態のプラントの取水設備を表す縦断面図である。
【図８】図８は、第６実施形態のプラントの取水設備を表す縦断面図である。
【発明を実施するための形態】
【００２４】
以下に添付図面を参照して、本発明のプラントの取水設備の好適な実施形態を詳細に説明する。なお、この実施形態により本発明が限定されるものではなく、また、実施形態が複数ある場合には、各実施形態を組み合わせて構成するものも含むものである。
【００２５】
［第１実施形態］
図１は、第１実施形態のプラントの取水設備を表す平面図、図２は、プラントの取水設備を表す縦断面図、図３は、図２のIII−III断面図である。
【００２６】
第１実施形態のプラントの取水設備は、各種の発電プラントに適用されるものであり、発電プラントにおける海岸や河川の近傍に設けられており、海水や河川水を冷却水として使用している。
【００２７】
第１実施形態において、図１から図３に示すように、プラントの取水設備１０は、取水ピット１１を有し、取水源としての海から海水を冷却水として取水ピット１１に取り込んで貯留することができる。取水ピット１１は、循環水ポンプ１２が配置されており、この循環水ポンプ１２は、取水ピット１１の冷却水（海水）を取水することができる。循環水ポンプ１２は、取水ピット１１から取水した冷却水を復水器（図示略）に供給することができる。
【００２８】
プラントの取水設備１０は、取水路（図示略）から冷却水を取り込む取水ピット１１と、取水ピット１１に設けられて冷却水を吸い込んで復水器に供給する循環水ポンプ１２と、取水ピット１１における流水方向の中途部に設けられる絞り部３１と、所定間隔を空けて設けられる一対の捕捉面を有して絞り部３１より流水方向の上流側に配置される除塵装置３２と、除塵装置３２と循環水ポンプ１２との間で冷却水を循環水ポンプ１２に向けて整流する整流ガイド部３３とを有している。
【００２９】
取水路は、直線形状をなすトンネル通路であり、一端部が海に連通し、他端部がプラントに設けられた複数の復水器の近傍まで延出されている。取水ピット１１は、所定量の冷却水を貯留可能であり、取水路に連通している。循環水ポンプ１２は、取水ピット１１に支持されており、取水口１２ａが取水ピット１１の底部の近傍まで延出されている。
【００３０】
取水ピット１１は、流水方向の中途部に絞り部３１が設けられ、この絞り部３１より上流側に除塵装置３２が設けられている。取水ピット１１は、上流側ピット４１と下流側ピット４２を有し、上流側ピット４１は、互いに平行をなす一方側の側面部４１ａと他方側の側面部４１ｂを有し、下流側ピット４２は、互いに平行をなす一方側の側面部４２ａと他方側の側面部４２ｂとを有している。そして、上流側ピット４１と下流側ピット４２との間に絞り部３１が設けられ、この絞り部３１は、一方の側面部４３ａと他方の側面部４３ｂとを有している。
【００３１】
除塵装置３２は、無端のスクリーン５１を上流側ピット４１内で上下に循環させることで、水中の塵芥を捕捉して回収するセントラルフロー式のトラベリングスクリーンである。除塵装置３２は、天井部３４に支持される駆動部５２を有し、この駆動部５２によりスクリーン５１を循環させることができる。このスクリーン５１は、捕捉面５１ａ，５１ｂが上流側ピット４１の流水方向に沿って配置され、上流側の端部に設けられた開口が閉塞部材５３により閉塞され、下流側の端部が上流側ピット４１の端面４１ｃに密着して開口が絞り部３１に連通している。
【００３２】
そのため、駆動部５２によりスクリーン５１が循環されると、上流側ピット４１を流れる水が除塵装置３２の両側に回り込み、スクリーン５１における各捕捉面５１ａ，５１ｂに到達する。そして、水が各捕捉面５１ａ，５１ｂからスクリーン５１を通過するときに、水中の塵芥を捕捉することができる。捕捉された塵芥は、スクリーン５１が天井部３４より上方に搬送されたときに回収される。一方、スクリーン５１の各捕捉面５１ａ，５１ｂを通過して除塵された水は、合流した後、絞り部３１を通って下流側ピット４２に流れ込む。
【００３３】
整流ガイド部３３は、絞り部３１から循環水ポンプ１２に向けて幅方向に広がる左右のガイド部材５４，５５を有している。この左右のガイド部材５４，５５は、絞り部３１から循環水ポンプ１２に向けて幅方向に広がる左右のガイド面５４ａ，５５ａが設けられている。左右のガイド面５４ａ，５５ａは、基端部が絞り部３１における各側面部４３ａ，４３ｂに段差なく連続し、他端部が下流側ピット４２における各側面部４２ａ，４２ｂに滑らかに連続している。
【００３４】
そのため、取水路を流れる冷却水は、この取水路から取水ピット１１に案内される。すると、取水ピット１１に案内された水は、除塵装置３２におけるスクリーン５１を通過することで塵芥が除去される。即ち、上流側ピット４１を流れる水は、除塵装置３２の両側に回り込み、各捕捉面５１ａ，５１ｂからスクリーン５１に到達して通過するときに、水中の塵芥が捕捉される。そして、このスクリーン５１を通過した水は、絞り部３１を通って下流側ピット４２に流れ込む。このとき、絞り部３１を通った水は、整流ガイド部３３により整流される。
【００３５】
即ち、各捕捉面５１ａ，５１ｂからスクリーン５１に入った水は、絞り部３１で合流して下流側ピット４２に流れ込む。このとき、絞り部３１から排出された水は、下流側ピット４２の各側面部４２ａ，４２ｂ側の一方に偏って流れやすく、偏流が発生しやすい。ところが、下流側ピット４２に整流ガイド部３３が設けられていることから、絞り部３１から下流側ピット４２に排出された水は、左右のガイド部材５４，５５の各ガイド面５４ａ，５５ａにより徐々に幅方向の外側に広がることから、幅方向で流れる水の流量がほぼ均一化され、流れの偏りが抑制される。そのため、取水ピット１１における循環水ポンプ１２の周辺での渦の発生が抑制される。
【００３６】
このように第１実施形態のプラントの取水設備にあっては、冷却水を取り込む取水ピット１１と、取水ピット１１における流水方向の中途部に設けられる絞り部３１と、所定間隔を空けて設けられる一対の捕捉面５１ａ，５１ｂを有して取水水ピット１２における絞り部３１より流水方向の上流側に配置される除塵装置３２と、除塵装置３２を通過した貯留水を吸い込んで冷却系ラインに供給する循環水ポンプ１２と、除塵装置３２と循環水ポンプ１２との間で冷却水を循環水ポンプ１２に向けて整流する整流ガイド部３３とを設けている。
【００３７】
従って、取水ピット１１を流れる水は、除塵装置３２におけるスクリーン５１の左右の捕捉面５１ａ，５１ｂを通過することで塵芥が除去され、このスクリーン５１を通過した水は、絞り部３１を通って循環水ポンプ１２に流れる。このとき、整流ガイド部３３が循環水ポンプ１２に向けて流れる冷却水を整流することから、スクリーン５１から排出されて左右の側面部４２ａ，４２ｂを流れる水の流量がほぼ均一化され、流れの偏りが抑制される。そのため、取水ピット１１における循環水ポンプ１２の周辺での渦の発生が抑制され、循環水ポンプ１２は、適正に冷却水を取水することができる。
【００３８】
第１実施形態のプラントの取水設備では、整流ガイド部３３として、絞り部３１から循環水ポンプ１２に向けて幅方向に広がる左右のガイド部材５４，５５を設けている。従って、スクリーン５１を通過した水は、絞り部３１から循環水ポンプ１２に流れるとき、左右のガイド部材５４，５５により幅方向に徐々に広がるように流れることから、スクリーン５１から排出されて左右の側面部４２ａ，４２ｂを流れる水の流量がほぼ均一化され、流れの偏りを抑制することができる。
【００３９】
第１実施形態のプラントの取水設備では、左右のガイド部材５４，５５は、絞り部３１の側面部４３ａ，４３ｂから循環水ポンプ１２に向けて幅方向に広がる左右のガイド面５４ａ，５５ａを有している。従って、絞り部３１から循環水ポンプ１２に流れる水流を適正に流すことができる。
【００４０】
［第２実施形態］
図４は、第２実施形態のプラントの取水設備を表す平面図である。なお、上述した実施形態と同様の機能を有する部材には、同一の符号を付して詳細な説明は省略する。
【００４１】
第２実施形態において、図４に示すように、プラントの取水設備６０は、冷却水を取り込む取水ピット１１と、取水ピット１１に設けられて冷却水を吸い込んで冷却系ラインに供給する循環水ポンプ１２と、取水ピット１１における流水方向の中途部に設けられる絞り部３１と、左右の捕捉面５１ａ，５１ｂが設けられるスクリーン５１を有して絞り部３１より上流側に配置される除塵装置３２と、除塵装置３２と循環水ポンプ１２との間で冷却水を循環水ポンプ１２に向けて整流する整流ガイド部６１とを有している。
【００４２】
取水ピット１１は、流水方向の中途部に絞り部３１が設けられ、この絞り部３１より上流側に除塵装置３２が設けられている。取水ピット１１は、上流側ピット４１と下流側ピット４２を有し、この上流側ピット４１と下流側ピット４２との間に絞り部３１が設けられ、この絞り部３１の上流側に除塵装置３２が設けられている。除塵装置３２は、無端のスクリーン５１を上流側ピット４１内で上下に循環させることで、水中の塵芥を捕捉して回収するセントラルフロー式のトラベリングスクリーンである。このスクリーン５１は、捕捉面５１ａ，５１ｂが上流側ピット４１の流水方向に沿って配置され、上流側の端部に設けられた開口が閉塞部材５３により閉塞され、下流側の端部が上流側ピット４１の端面４１ｃに密着して開口が絞り部３１に連通している。
【００４３】
整流ガイド部６１は、絞り部３１から循環水ポンプ１２に向けて幅方向に広がる左右のガイド部材６２，６３を有している。この左右のガイド部材６２，６３は、絞り部３１から循環水ポンプ１２に向けて幅方向に広がる左右のガイド面６２ａ，６３ａが設けられている。左右のガイド面６２ａ，６３ａは、基端部が絞り部３１における各側面部４３ａ，４３ｂから所定間隔を空けて位置し、下流側ピット４２の一端面４２ｃに対向する仕切面６２ｂ，６３ｂが形成され、先端部に仕切面６２ｃ，６３ｃが形成されている。
【００４４】
そのため、上流側ピット４１を流れる水は、除塵装置３２の両側に回り込み、各捕捉面５１ａ，５１ｂからスクリーン５１に到達して通過するときに、水中の塵芥が捕捉される。そして、このスクリーン５１を通過した水は、絞り部３１を通って下流側ピット４２に流れ込む。このとき、絞り部３１を通った水は、整流ガイド部６１により整流される。
【００４５】
即ち、各捕捉面５１ａ，５１ｂからスクリーン５１に入った水は、絞り部３１で合流して下流側ピット４２に流れ込む。このとき、下流側ピット４２に整流ガイド部６１が設けられていることから、絞り部３１から下流側ピット４２に排出された水は、左右のガイド部材６２，６３の各ガイド面６２ａ，６３ａにより徐々に幅方向の外側に広がることから、幅方向で流れる水の流量がほぼ均一化され、流れの偏りが抑制される。そのため、取水ピット１１における循環水ポンプ１２の周辺での渦の発生が抑制される。
【００４６】
このように第２実施形態のプラントの取水設備にあっては、除塵装置３２と循環水ポンプ１２との間で冷却水を循環水ポンプ１２に向けて整流する整流ガイド部６１とを設けている。
【００４７】
従って、取水ピット１１を流れる水は、除塵装置３２におけるスクリーン５１の左右の捕捉面５１ａ，５１ｂを通過することで塵芥が除去され、このスクリーン５１を通過した水は、絞り部３１を通って循環水ポンプ１２に流れる。このとき、整流ガイド部６１が循環水ポンプ１２に向けて流れる冷却水を整流することから、スクリーン５１から排出されて左右の側面部４２ａ，４２ｂを流れる水の流量がほぼ均一化され、流れの偏りが抑制される。そのため、取水ピット１１における循環水ポンプ１２の周辺での渦の発生が抑制され、循環水ポンプ１２は、適正に冷却水を取水することができる。
【００４８】
なお、上述した第１、第２実施形態では、平面視が矩形状をなす下流側ピット４２にガイド部材５４，５５，６２，６３を設けて構成したが、下流側ピット４２における側面部４２ａ，４２ｂをガイド部材５４，５５，６２，６３により構成してもよい。
【００４９】
［第３実施形態］
図５は、第３実施形態のプラントの取水設備を表す平面図である。なお、上述した実施形態と同様の機能を有する部材には、同一の符号を付して詳細な説明は省略する。
【００５０】
第３実施形態において、図５に示すように、プラントの取水設備７０は、冷却水を取り込む取水ピット１１と、取水ピット１１に設けられて冷却水を吸い込んで冷却系ラインに供給する循環水ポンプ１２と、取水ピット１１における流水方向の中途部に設けられる絞り部３１と、左右の捕捉面５１ａ，５１ｂが設けられるスクリーン５１を有して絞り部３１より上流側に配置される除塵装置３２と、除塵装置３２と循環水ポンプ１２の間で冷却水を循環水ポンプ１２に向けて整流する整流ガイド部７１とを有している。
【００５１】
整流ガイド部７１は、絞り部３１から循環水ポンプ１２に向けて幅方向に広がる左右のガイド部材７２，７３を有している。この左右のガイド部材７２，７３は、流水方向に所定間隔で設けられる左右の複数のガイド壁７４，７５から構成されている。各ガイド壁７４，７５は、対向する端面７４ａ，７５ａが一方向に向かって傾斜しており、この複数の端面７４ａ，７５ａにより絞り部３１から循環水ポンプ１２に向けて幅方向に広がる左右のガイド面７２ａ，７３ａが形成されている。
【００５２】
そのため、上流側ピット４１を流れる水は、除塵装置３２の両側に回り込み、各捕捉面５１ａ，５１ｂからスクリーン５１に到達して通過するときに、水中の塵芥が捕捉される。そして、このスクリーン５１を通過した水は、絞り部３１を通って下流側ピット４２に流れ込む。このとき、絞り部３１を通った水は、整流ガイド部７１により整流される。
【００５３】
即ち、各捕捉面５１ａ，５１ｂからスクリーン５１に入った水は、絞り部３１で合流して下流側ピット４２に流れ込む。このとき、下流側ピット４２に整流ガイド部７１が設けられていることから、絞り部３１から下流側ピット４２に排出された水は、左右のガイド部材７２，７３（ガイド壁７４，７５）の各ガイド面７２ａ，７３ａ（端面７４ａ，７５ａ）により徐々に幅方向の外側に広がることから、幅方向で流れる水の流量がほぼ均一化され、流れの偏りが抑制される。そのため、取水ピット１１における循環水ポンプ１２の周辺での渦の発生が抑制される。
【００５４】
このように第３実施形態のプラントの取水設備にあっては、除塵装置３２と循環水ポンプ１２との間で冷却水を循環水ポンプ１２に向けて整流する整流ガイド部７１を設け、整流ガイド部７１としての左右のガイド部材７２，７３は、絞り部３１から循環水ポンプ１２に向けて幅方向に広がると共に流水方向に所定間隔で設けられる左右の複数のガイド壁７４，７５により構成されている。
【００５５】
従って、取水ピット１１を流れる水は、除塵装置３２におけるスクリーン５１の左右の捕捉面５１ａ，５１ｂを通過することで塵芥が除去され、このスクリーン５１を通過した水は、絞り部３１を通って循環水ポンプ１２に流れる。このとき、整流ガイド部７１が循環水ポンプ１２に向けて流れる冷却水を整流することから、スクリーン５１から排出されて左右の側面部４２ａ，４２ｂを流れる水の流量がほぼ均一化され、流れの偏りが抑制される。そのため、取水ピット１１における循環水ポンプ１２の周辺での渦の発生が抑制され、循環水ポンプ１２は、適正に冷却水を取水することができる。
【００５６】
また、左右のガイド部材７２，７３を左右の複数のガイド壁７４，７５とすることで、構造を簡素化して低コスト化を図ることができる。
【００５７】
［第４実施形態］
図６は、第４実施形態のプラントの取水設備を表す平面図である。なお、上述した実施形態と同様の機能を有する部材には、同一の符号を付して詳細な説明は省略する。
【００５８】
第４実施形態において、図６に示すように、プラントの取水設備８０は、冷却水を取り込む取水ピット１１と、取水ピット１１に設けられて冷却水を吸い込んで冷却系ラインに供給する循環水ポンプ１２と、取水ピット１１における流水方向の中途部に設けられる絞り部３１と、左右の捕捉面５１ａ，５１ｂが設けられるスクリーン５１を有して絞り部３１より上流側に配置される除塵装置３２と、除塵装置３２と循環水ポンプ１２との間で冷却水を循環水ポンプ１２に向けて整流する整流ガイド部８１とを有している。
【００５９】
整流ガイド部８１は、絞り部３１から循環水ポンプ１２に向けて幅方向の中央部に流水方向に沿って設けられる中央ガイド部材８２を有している。この中央ガイド部材８２は、下流側ピット４２における幅方向の中間部であって、各側面部４２ａ，４２ｂと平行をなして設けられることで、下流側ピット４２を左右の分岐ピット８３，８４に区画している。そして、中央ガイド部材８２の先端部側に循環水ポンプ１２が配置されている。
【００６０】
そのため、上流側ピット４１を流れる水は、除塵装置３２の両側に回り込み、各捕捉面５１ａ，５１ｂからスクリーン５１に到達して通過するときに、水中の塵芥が捕捉される。そして、このスクリーン５１を通過した水は、絞り部３１を通って下流側ピット４２に流れ込む。このとき、絞り部３１を通った水は、整流ガイド部８１により整流される。
【００６１】
即ち、各捕捉面５１ａ，５１ｂからスクリーン５１に入った水は、絞り部３１で合流して下流側ピット４２に流れ込む。このとき、下流側ピット４２に整流ガイド部８１が設けられていることから、絞り部３１から下流側ピット４２に排出された水は、中央ガイド部材８２により左右の分岐ピット８３，８４に流れ込み、側面部４２ａ，４２ｂと側面部８２ａ，８２ｂの間を流れることから、コアンダ効果により幅方向で流れる水の流量がほぼ均一化され、流れの偏りが抑制される。そのため、取水ピット１１における循環水ポンプ１２の周辺での渦の発生が抑制される。
【００６２】
このように第４実施形態のプラントの取水設備にあっては、除塵装置３２と循環水ポンプ１２との間で冷却水を循環水ポンプ１２に向けて整流する整流ガイド部８１を設け、整流ガイド部８１として、絞り部３１から循環水ポンプ１２に向けて幅方向の中央部に流水方向に沿って設けられる中央ガイド部材８２を設けている。
【００６３】
従って、取水ピット１１を流れる水は、除塵装置３２におけるスクリーン５１の左右の捕捉面５１ａ，５１ｂを通過することで塵芥が除去され、このスクリーン５１を通過した水は、絞り部３１を通って循環水ポンプ１２に流れる。このとき、整流ガイド部８１が循環水ポンプ１２に向けて流れる冷却水を整流することから、スクリーン５１から排出されて左右の側面部４２ａ，４２ｂを流れる水の流量がほぼ均一化され、流れの偏りが抑制される。そのため、取水ピット１１における循環水ポンプ１２の周辺での渦の発生が抑制され、循環水ポンプ１２は、適正に冷却水を取水することができる。
【００６４】
また、絞り部３１から循環水ポンプ１２に向けて幅方向の中央部に流水方向に沿って中央ガイド部材８２を設けることで、構造の簡素化及び低コスト化を図ることができる。
【００６５】
［第５実施形態］
図７は、第５実施形態のプラントの取水設備を表す縦断面図である。なお、上述した実施形態と同様の機能を有する部材には、同一の符号を付して詳細な説明は省略する。
【００６６】
第５実施形態にて、図７に示すように、プラントの取水設備９０は、冷却水を取り込む取水ピット１１と、取水ピット１１に設けられて冷却水を吸い込んで冷却系ラインに供給する循環水ポンプ１２と、取水ピット１１における流水方向の中途部に設けられる絞り部３１と、左右の捕捉面５１ａ，５１ｂが設けられるスクリーン５１を有して絞り部３１より上流側に配置される除塵装置３２と、除塵装置３２と循環水ポンプ１２との間で冷却水を循環水ポンプ１２に向けて整流する整流ガイド部９１とを有している。
【００６７】
整流ガイド部９１は、絞り部３１と循環水ポンプ１２との間に設けられる潜り堰９２を有している。この潜り堰９２は、絞り部３１と循環水ポンプ１２との間で、且つ、絞り部３１側に近接して配置されており、幅が下流側ピット４２の前幅にわたって配置され、高さが下流側ピット４２の水面より低いものに設定されている。
【００６８】
そのため、上流側ピット４１を流れる水は、除塵装置３２の両側に回り込み、各捕捉面５１ａ，５１ｂからスクリーン５１に到達して通過するときに、水中の塵芥が捕捉される。そして、このスクリーン５１を通過した水は、絞り部３１を通って下流側ピット４２に流れ込む。このとき、絞り部３１を通った水は、整流ガイド部９１により整流される。
【００６９】
即ち、各捕捉面５１ａ，５１ｂからスクリーン５１に入った水は、絞り部３１で合流して下流側ピット４２に流れ込む。このとき、下流側ピット４２に整流ガイド部９１が設けられていることから、絞り部３１から下流側ピット４２に排出された水は、抵抗体である潜り堰９２に衝突して上下左右に分散されることから、幅方向で流れる水の流量がほぼ均一化され、流れの偏りが抑制される。そのため、取水ピット１１における循環水ポンプ１２の周辺での渦の発生が抑制される。
【００７０】
このように第５実施形態のプラントの取水設備にあっては、除塵装置３２と循環水ポンプ１２との間で冷却水を循環水ポンプ１２に向けて整流する整流ガイド部９１を設け、整流ガイド部９１として、絞り部３１と循環水ポンプ１２との間に潜り堰９２を設けている。
【００７１】
従って、取水ピット１１を流れる水は、除塵装置３２におけるスクリーン５１の左右の捕捉面５１ａ，５１ｂを通過することで塵芥が除去され、このスクリーン５１を通過した水は、絞り部３１を通って循環水ポンプ１２に流れる。このとき、整流ガイド部９１が循環水ポンプ１２に向けて流れる冷却水を整流することから、スクリーン５１から排出されて左右の側面部４２ａ，４２ｂを流れる水の流量がほぼ均一化され、流れの偏りが抑制される。そのため、取水ピット１１における循環水ポンプ１２の周辺での渦の発生が抑制され、循環水ポンプ１２は、適正に冷却水を取水することができる。
【００７２】
［第６実施形態］
図８は、第６実施形態のプラントの取水設備を表す平面図である。なお、上述した実施形態と同様の機能を有する部材には、同一の符号を付して詳細な説明は省略する。
【００７３】
第６実施形態にて、図８に示すように、プラントの取水設備１００は、冷却水を取り込む取水ピット１１と、取水ピット１１に設けられて冷却水を吸い込んで冷却系ラインに供給する循環水ポンプ１２と、取水ピット１１における流水方向の中途部に設けられる絞り部３１と、左右の捕捉面５１ａ，５１ｂが設けられるスクリーン５１を有して絞り部３１より上流側に配置される除塵装置３２と、除塵装置３２と循環水ポンプ１２との間で冷却水を循環水ポンプ１２に向けて整流する整流ガイド部１０１とを有している。
【００７４】
整流ガイド部１０１は、絞り部３１と循環水ポンプ１２との間に設けられる仕切壁１０２を有している。この仕切壁１０２は、絞り部３１と循環水ポンプ１２との間で、且つ、絞り部３１側に近接して配置されており、幅が下流側ピット４２の前幅にわたって配置され、高さが下流側ピット４２の水面より低いものに設定されている。そして、この仕切壁１０２は、幅方向に沿った開口部１０３が上下方向に所定間隔で複数形成されている。
【００７５】
そのため、上流側ピット４１を流れる水は、除塵装置３２の両側に回り込み、各捕捉面５１ａ，５１ｂからスクリーン５１に到達して通過するときに、水中の塵芥が捕捉される。そして、このスクリーン５１を通過した水は、絞り部３１を通って下流側ピット４２に流れ込む。このとき、絞り部３１を通った水は、整流ガイド部１０１により整流される。
【００７６】
即ち、各捕捉面５１ａ，５１ｂからスクリーン５１に入った水は、絞り部３１で合流して下流側ピット４２に流れ込む。このとき、下流側ピット４２に整流ガイド部１０１が設けられていることから、絞り部３１から下流側ピット４２に排出された水は、抵抗体である仕切壁１０２に衝突して上下左右に分散されることから、幅方向で流れる水の流量がほぼ均一化され、流れの偏りが抑制される。そのため、取水ピット１１における循環水ポンプ１２の周辺での渦の発生が抑制される。
【００７７】
このように第６実施形態のプラントの取水設備にあっては、除塵装置３２と循環水ポンプ１２との間で冷却水を循環水ポンプ１２に向けて整流する整流ガイド部１０１を設け、整流ガイド部１０１として、絞り部３１と循環水ポンプ１２との間に仕切壁１０２を設けている。
【００７８】
従って、取水ピット１１を流れる水は、除塵装置３２におけるスクリーン５１の左右の捕捉面５１ａ，５１ｂを通過することで塵芥が除去され、このスクリーン５１を通過した水は、絞り部３１を通って循環水ポンプ１２に流れる。このとき、整流ガイド部１０１が循環水ポンプ１２に向けて流れる冷却水を整流することから、スクリーン５１から排出されて左右の側面部４２ａ，４２ｂを流れる水の流量がほぼ均一化され、流れの偏りが抑制される。そのため、取水ピット１１における循環水ポンプ１２の周辺での渦の発生が抑制され、循環水ポンプ１２は、適正に冷却水を取水することができる。
【００７９】
なお、上述した実施形態では、既に各種プラントに設けられている既存の取水ピットに対して整流ガイド部を設けたが、新設のプラントに対しても有効的である。
【００８０】
また、本発明のプラントの取水設備は、上述した実施形態の取水路及び取水ピットの形状や数に限定されるものではなく、発電プラントの場所や形態に応じて適宜設定すればよいものである。
【００８１】
また、本発明のプラントの取水設備は、火力発電プラントや原子力発電プラント地熱発電プラントなどに適用することができる。
【符号の説明】
【００８２】
１０，６０，７０，８０，９０，１００  プラントの取水設備
１１  取水ピット
１２  循環水ポンプ
１２ａ  取水口
３１  絞り部
３２  除塵装置
３３，６１，７１，８１，９１，１０１  整流ガイド部
３４  天井部
４１  上流側ピット
４１ａ，４１ｂ  側面部
４１ｃ  端面
４２  下流側ピット
４２ｃ  端面
４２ａ，４２ｂ  側面部
４３ａ，４３ｂ  側面部
５１  スクリーン
５１ａ，５１ｂ  捕捉面
５２  駆動部
５４，５５，６２，６３，７２，７３  ガイド部材
５４ａ，５５ａ，６２ａ，６３ａ，７２ａ，７３ａ  ガイド面
６２ｂ，６３ｂ，６３ｂ，６３ｃ  仕切面
７４，７５  ガイド壁
７４ａ，７５ａ  端面
８２  中央ガイド部材
８２ａ，８２ｂ  側面部
９２  潜り堰
１０２  仕切壁
１０３  開口部
【図１】
0006639084.tif 000002
【図２】
0006639084.tif 000003
【図３】
0006639084.tif 000004
【図４】
0006639084.tif 000005
【図５】
0006639084.tif 000006
【図６】
0006639084.tif 000007
【図７】
0006639084.tif 000008
【図８】
0006639084.tif 000009